(57)【要約】【課題】  録画スケジュールの表示を見やすくして、ユーザが録画スケジュールを確認しやすい録画スケジュール処理装置を提供する。【解決手段】  録画スケジュールを曜日と時間帯のマトリクス形式の各セルで構成し、前記各セル毎に、録画条件を示す情報を表示することを特徴とする。【選択図】  図７
2006146382.tif 000002
【特許請求の範囲】
【請求項１】
録画スケジュールを曜日と時間帯のマトリクス形式の各セルで構成し、前記各セル毎に、録画条件を示す情報を表示することを特徴とする録画スケジュール処理装置。
【請求項２】
請求項1記載の録画スケジュール処理装置において、前記各セル毎に、さらに前記録画条件を示す情報に対応する色を表示することを特徴とする録画スケジュール処理装置。
【発明の詳細な説明】
【技術分野】
【０００１】
本発明は、ネットワーク型監視システムなどにおける録画スケジュール処理装置に関するものである。
【背景技術】
【０００２】
カメラからの映像をネットワーク経由で録画し、該映像をネットワーク経由で閲覧するネットワーク型監視システムにおいて、該映像の録画スケジュールを表示する技術について、以下説明する。
【０００３】
図９は、従来のネットワーク型監視システムにおける録画スケジュールの表示例を示す図である（公知文献発明に係るものではない）。表示項目はスケジュール番号９００、曜日９０１、開始時刻９０２、終了時刻９０３、記録間隔９０４であり、スケジュール番号毎に録画スケジュールがリスト形式で表示されている。尚、記録間隔９０４の単位はｆｐｓ（frame per second）である。
【０００４】
この表示例では、どのような録画スケジュールが設定されているかを確認する場合、スケジュール番号９００毎の曜日９０１から記録間隔９０４までの設定内容を一つ一つ目視で確認する必要があり、時間がかかる。例えば、１００番目の録画スケジュール９０５を確認する場合、ユーザはスケジュール番号９００の１番目から順に録画スケジュールを目視で確認し、１００番目にようやく目的の録画スケジュールを確認できることになる。
【０００５】
また、録画スケジュールの設定に抜けがないかを確認する場合、設定内容の文字を目視で確認するため、確認ミスが起こる可能性がある。例えば、曜日９０１の設定内容、日９０６と月９０７のように似たような文字をユーザが誤認識してしまうと、日曜日の録画スケジュールの設定を確認したつもりが、実際に設定されていたのが月曜日だったということもありうる。また、設定された録画スケジュールが多くなると一画面には表示しきれなくなり、一覧性が悪くなる。
【０００６】
本発明に関連する技術としては、録画スケジュールを、縦軸に日曜日〜土曜日までの各曜日を、横軸に開始時刻と終了時刻とモードを文字で表示し、各曜日ごとに開始時刻の時間を示す文字と終了時刻を示す文字とモードを示す文字を、カーソルと左右上下各スイッチを用いて設定して表示する（例えば特許文献１参照）。
【０００７】
【特許文献１】特開２００１−８６４５６号公報
【発明の開示】
【発明が解決しようとする課題】
【０００８】
前述の従来技術では、録画スケジュールがリスト形式で表示されているため、録画スケジュールの確認に時間を要してしまい、監視業務の迅速化を妨げてしまう。
【０００９】
また、上記特許文献１においても、設定して表示した開始時間と終了時間とモードを確認する場合、曜日ごとに開始時間と終了時間とモードの設定内容の文字を目視して確認するため、録画スケジュールの確認に時間を要してしまい、監視業務の迅速化を妨げてしまう。
【００１０】
また、設定内容の文字を目視で確認するため、確認ミスが生じ、録画したかった時間帯の映像が録画されていなかったという事態が発生し、その時間帯に侵入者がいた場合は、侵入者が録画されておらず、侵入者を見逃すこととなり、該監視装置が防犯に貢献できなくなってしまう。
【００１１】
また録画スケジュールの数が多い場合一覧性が悪くなり、ユーザにとっては見にくくなってしまう。
【００１２】
本発明の目的は、上記に挙げた課題に対応し、録画スケジュールの表示を見やすくして、ユーザが録画スケジュールを確認しやすい録画スケジュール処理装置を提供することにある。
【課題を解決するための手段】
【００１３】
上記の目的を達成するため本発明では、録画スケジュールを曜日と時間帯のマトリクス形式の各セルで構成し、前記各セル毎に、録画条件を示す情報を表示することを特徴とする。
【００１４】
また本発明は、前記各セル毎に、さらに前記録画条件を示す情報に対応する色を表示することを特徴とする。
【発明の効果】
【００１５】
本発明によれば、録画スケジュールの表示を見やすくして、ユーザが録画スケジュールを確認しやすい録画スケジュール処理装置を得ることができる。
【発明を実施するための最良の形態】
【００１６】
以下、本発明の実施の形態を図１〜図８によって説明する。
【００１７】
図１は、本発明による録画スケジュール処理装置の実施の形態としてネットワーク型監視システムの構成を示すブロック図である。
【００１８】
１００はネットワーク型監視装置（以降、本装置と称す）である。本装置１００は、ＣＰＵ（Central Processing Unit）１０１、メモリ１０２、記憶装置１０３、通信インターフェース１０４、バス１０５で構成される。ＣＰＵ１０１はバス１０５を介して、メモリ１０２、記憶装置１０３、通信インターフェース１０４と接続されており、通信インターフェース１０４は通信媒体１１０を介して端末装置１５０と接続されている。ＣＰＵ１０１は、バス１０５を介して接続されている他の構成要素と信号を送受し合い、各構成要素はＣＰＵ１０１からのアクセス信号により制御される。
【００１９】
なお、ＣＰＵ１０１は、記憶装置１０３に保存されて本装置１００の動作時にメモリ１０２に読み込まれたプログラム（図示していない）に従って処理を実行し、録画スケジュールの設定処理等を行う。
【００２０】
１５０は本装置の設定をするための端末装置である。端末装置１５０は、ＣＰＵ１５１、メモリ１５２、通信インターフェース１５３、入力装置１５４、バス１５５、表示装置１５６で構成される。ＣＰＵ１５１はバス１５５を介して、メモリ１５２、通信インターフェース１５３、入力装置１５４、表示装置１５６と接続されており、通信インターフェース１５３は通信媒体１１０を介して本装置１００と接続されている。ＣＰＵ１５１は、バス１５５を介して接続されている他の構成要素と信号を送受し合い、各構成要素はＣＰＵ１５１からのアクセス信号により制御される。
【００２１】
図２は、図１における端末装置１５０の表示装置１５６に録画スケジュール設定画面（以下、スケジュール録画設定ページと称す）を表示させるためのフローチャートを示す図である。
【００２２】
ステップ２００で、ユーザが、入力装置１５４によって、表示装置１５６に表示したメニュー画面上でスケジュール録画設定ページをクリック（選択）する操作を行う。
【００２３】
ステップ２０１で、ＣＰＵ１５１はバス１５５を介してスケジュール録画設定ページを表示する命令を受け取る。
【００２４】
ステップ２０２で、ＣＰＵ１５１はバス１５５、通信インターフェース１５３、通信媒体１１０、本装置の通信インターフェース１０４、バス１０５を介して、本装置１００のメモリ１０２に該命令を格納する。
【００２５】
ステップ２０３で、本装置１００のＣＰＵ１０１はメモリ１０２に格納された該命令に応じて記憶装置１０３にある、テンプレートファイル１２０、録画スケジュールデータファイル１２１、データ変換テーブルファイル１２２をメモリ１０２に読み込む。テンプレートファイル１２０には、スケジュール録画設定ページのフォーマットが記述されている。録画スケジュールデータファイル１２１には、一週間の録画スケジュールが１分毎にバイナリデータで記述されている。データ変換テーブルファイル１２２には、該バイナリデータに対応する録画レートと表示色が記述されている。
【００２６】
ステップ２０４で、ＣＰＵ１０１はメモリ１０２に読み込んだ該ファイル１２０、１２１、１２２のデータからスケジュール録画設定ページのデータを作成する。
【００２７】
ステップ２０５で、ＣＰＵ１０１はバス１０５、通信インターフェース１０４、通信媒体１１０、端末装置１５０の通信インターフェース１５３、バス１５５を介して、端末装置１５０のメモリ１５２に該データを格納する。
【００２８】
ステップ２０６で、ＣＰＵ１５１はメモリ１５２に格納されている該データを、バス１５５を介して表示装置１５６に表示する。
【００２９】
図３は、図２のフローチャートを経て図１の表示装置１５６に表示したスケジュール録画設定ページの例を示す図である。３００はカメラ番号コンボボックス、３０１は一週間の録画スケジュール表、３０２は１時間の録画スケジュール表、３０３は録画スケジュールの設定部品群、３０４は録画有効・無効ボタンである。
【００３０】
カメラ番号コンボボックス３００は、各カメラの録画スケジュール表に表示切替するためのコンボボックスである。
【００３１】
一週間の録画スケジュール表３０１は、横軸が曜日、縦軸が一時間毎の時間帯のマトリクス形式の各セル（枠）で構成される。
【００３２】
１時間の録画スケジュール表３０２は、横軸が１０分毎の時間帯、縦軸が１分毎の時間帯のマトリクス形式の各セル（枠）で構成される。
【００３３】
録画スケジュールの設定部品群３０３は、録画レート、日程、時間帯の設定（予約）、削除を行う部分である。
【００３４】
録画有効・無効ボタン３０４は本装置１００がスケジュール録画を行うかどうかを設定するボタンであり、該ボタン３０４の表示が図３の例のように「録画有効」である場合はスケジュール録画を行い、「録画無効」（図示しない）である場合はスケジュール録画を行わない。
【００３５】
図４は図３のスケジュール録画設定ページの一週間の録画スケジュール表３０１の各セルに、録画条件の一つである録画レートの数字と該録画レートに対応する色（区分けされた色の一つ）を設定し、一時間の録画スケジュール表３０２の各セルに、録画条件の一つである録画レートの数字を設定して表示させるためのフローチャートを示す図である。
【００３６】
ステップ４００で、ユーザが、入力装置１５４によって、表示装置１５６に表示した図３の録画スケジュールの設定部品群３０３により、録画レート、日程、時間帯の設定（予約）をする入力操作を行う。
【００３７】
例として、日、土（休日）は、警戒度は終日高レベルであると判断して録画レートを３０ｆｐｓとし、３０と青色で表示し、月〜金（平日）の勤務時間外は、警戒度は中レベルであるのと判断して録画レートレートを１０ｆｐｓとし、１０と水色で表示し、月〜金（平日）の勤務時間内は、警戒度は低レベルであるのと判断して録画レートを１ｆｐｓとし、１とピンク色で表示する場合について、以下説明する。
【００３８】
まず、録画レートの文字の横に設けられたコンポボックスの▽マークをマウスでクリックしてドロップアウトリストを表示し、表示した例えば３０，１０，１のうちの３０をマウスでクリックすることにより、図３に図示のように３０ｆｐｓを選択する。
【００３９】
次に、日程で毎日か曜日別かをその文字の前に設けられたラジオボタンのいずれかをマウスでクリックして、例えば図３に図示のように曜日別を選択する。そして録画レートを３０ｆｐｓにしたい曜日を、その各曜日の文字の前に設けられたチェックボックスをマウスでクリックして、例えば図３に図示のように日と土を選択する。
【００４０】
次に、時間帯で終日か時間指定かをその文字の前に設けられたラジオボタンのいずれかをマウスでクリックして例えば終日を選択する。そして予約（設定）ボタンをクリックする。
【００４１】
また、録画レートで１０ｆｐｓを選択し、日程で曜日別を選択し、かつ月〜金を選択し、時間帯で時間指定を選択し、さらに時の文字の前に設けられたコンポボックスの▽マークをマウスでクリックしてドロップアウトリストを表示し、表示した００，０１，０２，…，２３のうちの設定したい時間の数字をマウスでクリックして選択する。
【００４２】
また分の文字の前に設けられたコンポボックスの▽マークをマウスでクリックしてドロップアウトリストを表示し、表示した００，０１，０２，…，５９のうちの設定したい分の数字をマウスでクリックして選択する。
【００４３】
このことにより、例えば００時００分から０７時５９分を選択する。そして予約（設定）ボタンをクリックする。
【００４４】
また例えば時間指定で１８時００分から２３時５９分を選択する。そして予約（設定）ボタンをクリックする。
【００４５】
次に、録画レートで１ｆｐｓを選択し、日程で曜日別を選択し、かつ月〜金を選択し、時間帯で時間指定を選択し、さらに時間で例えば０８時００分から１７時５９分を選択する。
【００４６】
図４に戻り、次のステップ４０１で、ＣＰＵ１５１はバス１５５を介して、入力操作した録画レート、日程、時間帯のデータを受け取り、メモリ１５２に格納する。
【００４７】
ステップ４０２で、ＣＰＵ１５１はバス１５５、通信インターフェース１５３、通信媒体１１０、本装置の通信インターフェース１０４、バス１０５を介して、本装置１００のメモリ１０２に該データを格納する。
【００４８】
ステップ４０３で、本装置１００のＣＰＵ１０１はテンプレートファイル１２０、録画スケジュールデータファイル１２１、データ変換テーブルファイル１２２をメモリ１０２に読み込む。
【００４９】
ステップ４０４で、ＣＰＵ１０１はメモリ１０２に読み込んだ該ファイル１２０、１２１、１２２のデータおよび録画レート、日程、時間帯のデータからスケジュール録画設定ページのデータを作成する。
【００５０】
ステップ４０４の詳細な処理の例を、図１、図３、図４〜図６を使って説明する。例として、図３における一週間の録画スケジュール表３０１のセル３１２（日曜日の１時台）のデータを作成する場合の処理を述べる。
【００５１】
図５は、図４のステップ４０３で、テンプレートファイル１２０、録画スケジュールデータファイル１２１、データ変換テーブルファイル１２２のデータおよび録画レート、日程、時間帯のデータをメモリ１０２に読み込んだときのデータを示す図である。
【００５２】
５００はスケジュール録画設定ページのテンプレートデータである。この中に一週間の録画スケジュール表のデータ５０１があり、該データ５０１は曜日データ５０２、時間帯データ５０４、表示内容データ５０６の階層構造で構成される。曜日データ５０２は日曜日データ５０３から土曜日データ（図示しない）で構成され、時間帯データ５０４は０時台データ（図示しない）、１時台データ５０５、・・・、２３時台データ（図示しない）で構成され、表示内容データ５０６は録画レートデータ５０７、表示色データ５０８で構成される。
【００５３】
５１０は録画スケジュールデータである。1バイトに１分毎の録画レートに対応した番号がバイナリ形式で記述され、日曜日の０時０分台から土曜日の２３時５９分台までの一週間分のデータが記述されている。
【００５４】
５２０はデータ変換テーブルで、録画スケジュールデータ５１０に記述されている番号を録画レートと表示色に変換するテーブルである。該テーブルは番号データ列５２２、録画レートデータ列５２３、色データ列５２４で構成される。
【００５５】
例としては番号データ列５２２の番号が０の場合は、録画レートは３０ｆｐｓ、該録画レートに対応する表示色は青色、番号データ列５２２の番号が１の場合は、録画レートは１０ｆｐｓ、該録画レートに対応する表示色は水色、番号データ列５２２の番号が２の場合は、録画レートは１ｆｐｓ、該録画レートに対応する表示色はピンク色と予め決められている。
【００５６】
図６は、図３における一週間の録画スケジュール表３０１のセル３１２および一時間の録画スケジュール表３０２の各セルのデータを作成する場合の処理のフローチャートを示す図である。
【００５７】
ステップ６００で、図１の本装置１００のＣＰＵ１０１は、日曜日の１時台のデータが録画スケジュールデータ５１０のどこに記述されているか計算をする。この場合、目的のデータ＝該データ５１０の日曜日の０時０分から６０分後のデータ＝該データ５１０の先頭から６０バイト（＝１バイト×６０）目のデータ５１１である。
【００５８】
ステップ６０１で、ＣＰＵ１０１は、前ステップの計算で割り出したデータ５１１の番号と合致する番号をデータ変換テーブル５２０の番号データ列５２２から検索する。図５の例では先頭行のデータ５２１の番号データ５２５が合致する。
【００５９】
ステップ６０２で、ＣＰＵ１０１は、前ステップで検索した先頭行５２１の録画レートデータ５２６の値３０、色データ５２７の青色を、テンプレートデータ５００の最下層の表示内容データ５０６の録画レート５０７、表示色５０８に記述する。
【００６０】
図４に戻って、次のステップ４０５で、ＣＰＵ１０１は、バス１０５、通信インターフェース１０４、通信媒体１１０、端末装置１５０の通信インターフェース１５３、バス１５５を介して、端末装置１５０のメモリ１５２に作成したテンプレートデータ５００を格納する。
【００６１】
ステップ４０６で、ＣＰＵ１５１はメモリ１５２に格納されている該データを、バス１５５を介して表示装置１５６に表示する。
【００６２】
図７は図４のフローチャートを経て図１の表示装置１５６に表示したスケジュール録画設定ページの例を示す図である。
【００６３】
図７においては、一週間の録画スケジュール表３０１の、日と土の全時間の各セルに、録画レート３０ｆｐｓを示す３０を表示し、且つ各セルを録画レート３０ｆｐｓに対応する青色で表示する。この表示は、日、土（休日）の警戒度が終日高レベルであるのに対応する。
【００６４】
また、月〜金の０〜７および１８〜２３の時間の各セルに、録画レート１０ｆｐｓを示す１０を表示し、且つ各セルを録画レート１０ｆｐｓに対応する水色で表示する。この表示は、月〜金（平日）の勤務時間外の警戒度が中レベルであるのに対応する。
【００６５】
また月〜金の８〜１７の時間の各セルに、録画レート１ｆｐｓを示す１を表示し、且つ各セルを録画レート１ｆｐｓに対応するピンク色で表示する。この表示は、月〜金（平日）の勤務時間内の警戒度が低レベルであるのに対応する。
【００６６】
図７において、１時間の録画スケジュール表３０２は、一週間の録画スケジュール表３０１の中のセル３１１を選択したときの各セルの表示内容を示す。図７においては全ての分のセルに３０を表示する。
【００６７】
図８は図４のフローチャートを経て図１の表示装置１５６に表示したスケジュール録画設定ページの他の例を示す図である。
【００６８】
図８は、図７に比べて、一週間の録画スケジュール表３０１における月〜金の１２（時）に斜線を付加してなる。この斜線は１２時台の１時間の中に複数の録画レートが存在する場合に付加してなる。
【００６９】
図８において、この１２時台の斜線中のセル３１３を選択すると、１２時台の１時間の録画スケジュール表３０２は、図８に図示のように、０から９および５５〜５９分の各セルに、録画レート１ｆｐｓを示す１を表示し、且つ各セルを録画レート１ｆｐｓに対応するピンク色で表示し、１０〜５４分の各セルに、録画レート１０ｆｐｓを示す１０を表示し、且つ各セルを録画レート１０ｆｐｓに対応する水色で表示する。
【００７０】
この表示は、図３の録画スケジュールの設定部品郡３０３により、録画レート、日程、時間帯の設定（予約）をする入力操作を行う際、時間指定で１２時台を、１２時００分〜１２時０９分および１２時１０分〜１２時５４分と、１２時１０分〜１２時５４分とに分け、前者のときは録画レート１ｆｐｓを示す１を選択し、後者のときは録画レート１０ｆｐｓを示す１０を選択した場合に対応する。
【００７１】
なお、図３，図７，図８に表示のスケジュール録画設定ページにおいて、一週間の録画スケジュール表３０１は、横軸が曜日、縦軸が一時間毎の時間帯のマトリクス形式のセル（枠）で構成してなるが、逆に、縦軸が曜日、横軸が一時間毎の時間帯のマトリクス形式のセル（枠）で構成してもよい。
【００７２】
また、時間帯は一時間毎のセルで表示したが、３０分毎や１分毎などのセルで表示してもよい。
【００７３】
また、一週間の録画スケジュール表３０１における時間の各セルは、その時間の先頭の００（分）時の数字（ｆｐｓの値）を代表値としているが、それ以外に、一番多い数字を代表値としてもよい。
【００７４】
また、一週間の録画スケジュール表３０１における時間の各セルは、その１時間の中に複数の録画レートが存在する場合に斜線を付加してなるが、網掛け、太枠などでもよく、表示形態を変えればよい。
【００７５】
本実施の形態によれば、録画スケジュールを曜日と時間帯のマトリクス形式の各セルで構成し、各セル毎に、録画条件を示す情報に一つである録画レートを録画レートの数字で表示するため、数字が縦軸と横軸に整然とならび、一覧性がよく、したがって録画スケジュールの表示が見やすく、ユーザが録画スケジュールを確認しやすい。また各セル毎に、録画条件を示す情報に対応する色を表示するので、一週間の録画スケジュールにおいて、警戒度に応じてどのような設定がなされているか、一目で確認することができる。
【００７６】
よって確認に時間を要することがなくなり、監視業務の迅速化を図ることができ、設定内容の文字を目視で確認する必要がないので、確認ミスも生じにくくなり、録画したかった時間帯の映像が録画されていなかったという事態が発生しにくくなり、確実に防犯に貢献することができる。
【図面の簡単な説明】
【００７７】
【図１】本発明による録画スケジュール処理装置の実施の形態としてネットワーク型監視システムの構成を示すブロック図である。
【図２】図１における表示装置にスケジュール録画設定ページを表示されるためのフローチャートを示す図である。
【図３】図２のフローチャートを経て図１の表示装置に表示したスケジュール録画設定ページの例を示す図である。
【図４】図３に表示のスケジュール録画設定ページにおける一週間の録画スケジュール表の各セルに、録画条件の一つである録画レートと該録画レートに対応する色を設定し、一時間毎の録画スケジュール表の各セルに、録画条件の一つである録画レートを設定して表示させるためのフローチャートを示す図である。
【図５】図２のステップ２０３で、テンプレートファイル、録画スケジュールデータファイル、データ変換テーブルファイルのデータおよび録画レート、日程、時間帯のデータをメモリ１０２に読み込んだときのデータを示す図である。
【図６】図３における一週間の録画スケジュール表のセル３１２および一時間の録画スケジュール表の各セルのデータを作成する場合の処理のフローチャートを示す図である。
【図７】図４のフローチャートを経て図１の表示装置に表示したスケジュール録画設定ページの例を示す図である。
【図８】図４のフローチャートを経て図１の表示装置に表示したスケジュール録画設定ページの他の例を示す図である。
【図９】従来のネットワーク型監視装置の録画スケジュールの表示例を示す図である。
【符号の説明】
【００７８】
１００…ネットワーク型監視装置、１０１…ＣＰＵ、１０２…メモリ、１０３…記憶装置、１０４…通信インターフェース、１０５…バス、１１０…通信媒体、１２０…テンプレートファイル、１２１…録画スケジュールデータファイル、１２２…データ変換テーブルファイル、１５０…端末装置、１５１…ＣＰＵ、１５２…メモリ、１５３…通信インターフェース、１５４…入力装置、１５５…バス、１５６…表示装置、３００…カメラ番号コンボボックス、３０１…一週間の録画スケジュール表、３０２…１時間の録画スケジュール表、３０３…録画スケジュールの設定部品群、３０４…録画有効・無効ボタン、３１０，３１１，３１２，３１３…セル、５００…テンプレートデータ、５０１…一週間の録画スケジュール表のデータ、５０２…曜日データ、５０３…日曜日データ、５０４…時間帯データ、５０５…１時台データ、５０６…表示内容データ、５０７…録画レートデータ、５０８…表示色データ、５１０…録画スケジュールデータ、５１１…１時台のデータ、５２０…データ変換テーブル、５２１…先頭行のデータ、５２２…番号データ列、５２３…録画レートデータ列、５２４…色データ列、５２５…番号データ列、５２６…録画レートデータ、５２７…色データ、９００…スケジュール番号、９０１…曜日、９０２…開始時刻、９０３…終了時刻、９０４…記録間隔、９０５…録画スケジュール、９０６…日、９０７…月。
【図１】
2006146382.tif 000003
【図２】
2006146382.tif 000004
【図３】
2006146382.tif 000005
【図４】
2006146382.tif 000006
【図５】
2006146382.tif 000007
【図６】
2006146382.tif 000008
【図７】
2006146382.tif 000009
【図８】
2006146382.tif 000010
【図９】
2006146382.tif 000011